(57)【要約】【課題】育毛用の光を正しく照射できているかを利用者が容易に判断することができる光育毛装置を提供する。【解決手段】この課題を解決するために、光育毛装置は、非可視領域の波長帯で育毛用の光を照射する第１照射部１と、可視領域の波長帯で光を照射する第２照射部２と、を有し、前記第１照射部１から光が照射される光照射領域内あるいは前記光照射領域の外周に前記第２照射部２が光を照射するものとした。【選択図】図１
2011200605.tif 000002
【特許請求の範囲】
【請求項１】
非可視領域の波長帯で育毛用の光を照射する第１照射部と、可視領域の波長帯で光を照射する第２照射部と、を有し、前記第１照射部から光が照射される光照射領域内あるいは前記光照射領域の外周に前記第２照射部が光を照射するものであることを特徴とする光育毛装置。
【請求項２】
前記第１照射部の発する光の主照射波長が７８０ｎｍ〜２０００ｎｍの波長帯であることを特徴とする請求項１に記載の光育毛装置。
【請求項３】
前記第２照射部の明るさあるいは色を第１照射部の光照射の経過時間により変化させる制御部を有するものであることを特徴とする請求項１または請求項２に記載の光育毛装置。
【請求項４】
前記第１照射部による光照射完了時に前記第２照射部の明るさあるいは色を変化させる制御部を有するものであることを特徴とする請求項１〜３のいずれか一項に記載の光育毛装置。
【請求項５】
前記第１照射部の光を放出する放出面と前記第２照射部の光を放出する放出面が交互に配置されるものであることを特徴とする請求項１〜４のいずれか一項に記載の光育毛装置。
【請求項６】
前記第２照射部が環状の放出面を有するものであることを特徴とする請求項１〜５のいずれか一項に記載の光育毛装置。
【請求項７】
前記第１照射部の放出面が半球状に配置されると共に、各放出面からの光の照射方向が前記半球の中心側に向くものであることを特徴とする請求項１〜６のいずれか一項に記載の光育毛装置。
【発明の詳細な説明】
【技術分野】
【０００１】
本発明は、光育毛装置に関するものである。
【背景技術】
【０００２】
従来から、光を利用した育毛技術として、特許文献１等の３９０ｎｍ〜１６００ｎｍの範囲の主放射波長の光を毛包等の毛髪成長構造及び皮膚等のその周辺に照射（曝露）して、毛髪成長を促がすべく毛髪成長構造を活性化させるものがある。
【先行技術文献】
【特許文献】
【０００３】
【特許文献１】特開２００５−５１２６２０号公報
【発明の概要】
【発明が解決しようとする課題】
【０００４】
しかしながら、施療者や被施療者等の利用者である人間は一般的に３６０ｎｍ〜７８０ｎｍの波長帯が可視領域となっている。そのため、従来の光育毛装置では可視領域外の波長帯の光を育毛用の光に用いると、利用者に光源の発光が視認できないため、操作部等の動作ランプだけでは育毛用の光を正しく照射できているかを判断できないものである。
【０００５】
そして、育毛用の光を正しく照射できているかを判断できないため、利用者に故障と誤認させることや、利用者に装置利用に不安感を与えることがあるという問題がある。なお、この育毛用の光を正しく照射できているかの判断とは、例えば、光源が発光しているか（照射光が出ているか）や、育毛効果を与えたい部位（照射対象）に光が当たっているか（光が照射される光照射領域に照射対象が入っているか）等である。
【０００６】
ことに、一回の光照射等の短期間の利用では利用者に育毛効果を実感させることが困難であるため、不安感を与えることは光育毛装置の利用を抑制してしまう虞があり、利用者に安定して育毛効果を与えることが難しくなるという問題がある。
【０００７】
そこで、この事情に鑑み、育毛用の光を正しく照射できているかを利用者が容易に判断することができる光育毛装置を提供することを課題とした。
【課題を解決するための手段】
【０００８】
この課題を解決するために、本発明の光育毛装置は、非可視領域の波長帯で育毛用の光を照射する第１照射部と、可視領域の波長帯で光を照射する第２照射部と、を有し、前記第１照射部から光が照射される光照射領域内あるいは前記光照射領域の外周に前記第２照射部が光を照射するものであることを特徴とする。
【０００９】
また、前記第１照射部の発する光の主照射波長が７８０ｎｍ〜２０００ｎｍの波長帯であることが好ましい。
【００１０】
また、前記第２照射部の明るさあるいは色を第１照射部の光照射の経過時間により変化させる制御部を有するものであることが好ましい。
【００１１】
また、前記第１照射部による光照射完了時に前記第２照射部の明るさあるいは色を変化させる制御部を有するものであることが好ましい。
【００１２】
また、前記第１照射部の光を放出する放出面と前記第２照射部の光を放出する放出面が交互に配置されるものであることが好ましい。
【００１３】
また、前記第２照射部が環状の放出面を有するものであることが好ましい。
【００１４】
また、前記第１照射部の放出面が半球状に配置されると共に、各放出面からの光の照射方向が前記半球の中心側に向くものであることが好ましい。
【発明の効果】
【００１５】
このような構成としたことで、第２光源から照射される光により第１光源から照射される光である育毛用の光を正しく照射できているかを利用者が容易に判断することができる。
【図面の簡単な説明】
【００１６】
【図１】実施形態の一例の各照射部を説明する構成図である。
【図２】同上の要部の拡大図である。
【図３】（ａ）、（ｂ）は第１照射部と第２照射部の照射ユニットを交互に配置した例の平面図である。
【図４】（ａ）、（ｂ）は第１照射部の外周に第２照射部の照射ユニットを配置した例の平面図である。
【図５】図４の変形例の平面図である。
【図６】放出面を半球状に配置した例の一部を切断した側面図である。
【発明を実施するための形態】
【００１７】
以下、実施形態の一例を図面に基づいて説明する。
【００１８】
本例の光育毛装置は、図１及び図２に示すように、非可視領域の波長帯の光を照射する第１照射部１と、可視領域の波長帯の光を照射する第２照射部２と、各照射部の照射制御を行う制御ボックス３と、を備えるものである。この装置は毛髪成長構造や周囲等である照射対象６に接触（当接）あるいは近傍に位置（近接）させて、第１照射部１と第２照射部２から放出した光をその照射対象６に当てるものである。そして、第１照射部１から照射される光が照射対象６に体毛や頭髪等の毛髪の成長を促がす育毛効果を高めるための光となっている。
【００１９】
なお、本例において、可視領域の波長帯とは３８０ｎｍ〜７８０ｎｍ程度に主照射波長（ピーク波長）を有するものであり、非可視領域の波長帯とは可視領域より波長が長い７８０ｎｍ以上に主照射波長を有するものである。そして、非可視領域の波長帯は７８０ｎｍ〜２０００ｎｍに主照射波長を有する近赤外光の波長帯が好ましいものである。更に、近赤外光の波長帯の中でも、９５０ｎｍ近傍、１１５０ｎｍ近傍、１４５０ｎｍ近傍、１７９０ｎｍ近傍等の水の特異吸収波長を主照射波長に用いれば、照射対象６に炎症を与え難い光照射を行え好ましい。この水の特異吸収波長とは、水に照射した際に他の波長に比べて強い吸光度を示したり、急峻な吸光度変化を示したりする波長であり、水のＯ−Ｈの結合基に起因するものである。
【００２０】
第１照射部１は、非可視領域の波長帯の光を発する第１光源１２と、第１光源１２の光を導光する導光部１４と、第１光源１２と導光部１４の間に配置され第１光源１２の光を導光部１４に集中させる集光レンズ１３と、からなる照射ユニット１１を複数有している。
【００２１】
この第１光源１２は、例えば、発光ダイオード（ＬＥＤ）を光源部材として備えるものである。そして、導光部１４は金や銀やアルミニウム等の金属材料からなる反射面を内周に有する円筒形状のものであり、円筒の一端が第１光源１２側に向き他端が外部に向いて配置されている。
【００２２】
つまり、照射ユニット１１は第１光源１２の光を集光レンズ１３で導光部１４の一端側に集め、その光を導光部１４を介して外部に放出することで、育毛用の光である非可視領域の波長帯の光を照射対象６に照射するものである。
【００２３】
なお、導光部１４の他端側の符号１４ａは圧力センサや温度センサや水分量検知センサ等の照射対象６が導光部１４の他端側に接触や当接したことを検知する照射対象検知部である。そして、符号１４ｂは導光部１４の他端や照射対象検知部が照射対象６に接触等した時に互いを傷や破損から保護する弾性体等のアタッチメントである。更に、符号４は照射対象検知部１４ａで照射対象６を検知した際に出力される検知信号等でオンになり各照射部の光照射を許可するオンオフスイッチであり、利用者に対する光照射の安全を管理するための安全管理手段である。
【００２４】
また、第２照射部２は第１照射部１と略同様の構成であり、第２光源２２と集光レンズ２３と導光部２４からなる照射ユニット２１を複数有している。そして、導光部２４の他端には照射対象検知部１４ａ及びアタッチメント１４ｂの代わりに拡散レンズ等の光拡散部２４ａが取り付けられている。
【００２５】
なお、第２照射部２の導光部２４は光拡散部２４ａの分だけ第１照射部１の導光部１４より軸方向の寸法を短くし、第１照射部１のアタッチメント１４ｂが光拡散部２４ａより先に照射対象６に接触するように設けることが好ましい。以下、第１照射部１から照射する光を育毛光Ｈとし、第２照射部２から照射する光を可視光Ｗとする。
【００２６】
このように、第１照射部１が外部に育毛光Ｈを放出する放出面１５は導光部１４の他端開口となっており、第２照射部２が外部に可視光Ｗを放出する放出面２５は導光部２４の他端に取り付けた光拡散部２４ａの先端となっている。そのため、当接等させた照射対象６に第１照射部１の育毛光Ｈが照射される光照射領域は、放出面１５である導光部１４の開口端面と略同径の円形状となり、第２照射部２の光照射領域は、光拡散部２４ａによって放出面２５より大径の円形状となる。
【００２７】
なお、放出面１５，２５及び光照射領域は円形状に限らず、集光レンズ１３，２３や導光部１４，２４の形状や光拡散部２４ａ等に応じて適宜設定されるものであり、矩形状や楕円形状であってもよい。ましてや、第２照射部２の放出面２５は、第１照射部１の放出面１５の外周に沿う円弧形状や扇状等の第１照射部１の放出面１５を複数配置した際に隙間を埋めるような形状のものであってもよい。
【００２８】
また、第１照射部１と第２照射部２は円筒形状の照射ケース５内に設けられており、放出面１５は照射ケース５の円形状の開口端５ａに略面一で配置されている。
【００２９】
この第１照射部１と第２照射部２の放出面１５，２５の配置として、例えば、図３に示すように、平面視で互い違いになるよう交互に配置したものや、図４及び図５に示すように、第１照射部１の外周に第２照射部２を配置したもの等がある。
【００３０】
詳しくは、図３（ａ）に示すものは、各照射ユニット１１，２１の放出面１５，２５を照射部毎に夫々略一直線上に複数並べると共に、第１照射部１の線状に並ぶ各放出面１５と第２照射部２の線状に並ぶ各放出面２５を交互に配置したものである。つまり、第１照射部１の放出面１５と第２照射部２の放出面２５を交互に千鳥格子状に配置したものである。
【００３１】
そして、図３（ｂ）に示すものは、各照射ユニット１１，２１の放出面１５，２５を照射部毎に径の異なる環状に並べると共に、第１照射部１の一つの照射ユニット１１の放出面１５を中心に環状の放出面１５，２５を交互に配置したものである。
【００３２】
このように、第１照射部１と第２照射部２を交互に配置したことで、第１照射部１の光照射領域の間に第２照射部２の光照射領域が位置すると共に、第１照射部１の光照射領域に第２照射部２の光照射領域の一部が重なるものとなる。
【００３３】
そのため、育毛光Ｈの光照射領域やその周囲に視認可能な光（可視光Ｗ）が存在するものとなり、光育毛装置の操作部（特に図示しない）等に設けた動作ランプ等の報知部を利用者が確認しなくても光照射動作の有無を認識することができる。
【００３４】
つまり、利用者は照射対象６上の可視光Ｗの有無から、照射光が出ているか等の装置動作判断や、照射光が照射対象６に当たっているか等の照射位置判断を容易に行え、利用者に不安感を与え難くすることができる。そのため、利用者に対して光育毛装置の定期的に繰り返し利用すること（継続した利用）を促がすことができ、育毛効果を安定して与え易いものとなっている。
【００３５】
そして、外周側に位置する第２照射部２の放出面２５からの可視光Ｗは、放出面２５を照射対象６に接触等させても照射対象６の表面や内部から反射光として外方に放出されるため、利用者に視認し易くなっている。更に、交互に配置しているため、利用者が照射対象６に育毛光Ｈを当てている感覚を視覚的に得易く、且つ可視光Ｗによる熱で毛髪成長構造の周辺の血行を促進させて育毛効果をより得易くすることができる。
【００３６】
また、図４（ａ）に示すものは、第１照射部１の照射ユニット１１の放出面１５を円形状に並べ、その円より大径の環状に第２照射部２の放出面２５を並べて、第１照射部１の放出面２５の周囲を第２照射部２の放出面２５が囲むものである。そして、図４（ｂ）に示すものは、第１照射部１の各放出面１５を矩形状に並べると共に、外周の放出面１５のうち一部を所定間隔毎に第２照射部２の放出面２５で置き換えたものである。
【００３７】
このように、第１照射部１の外側に第２照射部２を配置したことで、第１照射部１の光照射領域は第２照射部２の光照射領域に部分的あるいは全体的に囲まれると共に、第２照射部２の光照射領域の一部が重なるものとなる。そのため、育毛光Ｈの光照射領域の周囲に視認可能な光（可視光Ｗ）が存在するものとなり、光育毛装置の操作部等周辺の報知部を利用者が確認しなくても光照射動作の有無を容易に認識することができる。
【００３８】
つまり、利用者は照射対象６上の可視光Ｗの有無から、照射光が出ているか等の装置動作判断や、照射光が照射対象６に当たっているか等の照射位置判断を容易に行え、利用者に不安感を与え難くすることができる。
【００３９】
そして、第２照射部２の放出面２５が第１照射部１の外周に位置するため、放出面２５を照射対象６に接触等させても照射対象６の表面や内部から反射光として可視光Ｗが外方に放出され、利用者に視認し易くなっている。更に、可視光Ｗが育毛光Ｈの光照射領域の外周に沿うように位置するため、育毛効果が得られる有効範囲を利用者が容易に認識し易くすることができる。
【００４０】
また、図５に示すものは、第１照射部１の放出面１５を円形状に並べ、その円の外周に第１照射部１の放出面１５を配置しない非設部位を一箇所形成し、非設部位に第２照射部２の楕円形状の放出面２５を一つ配置したものである。そして、第２照射部２の可視光Ｗは照射対象６の非設部位に対向する部位内に当たるものとなっており、第２照射部２の光照射領域は第１照射部１の光照射領域に重ならずに第１照射部１の光照射領域の外周に位置するものである。
【００４１】
そのため、育毛光Ｈの光照射領域の近傍に視認可能な光（可視光Ｗ）が存在するものとなり、利用者は照射対象６上の可視光Ｗの有無から装置動作判断や照射位置判断を容易に行え、利用者に不安感を与え難くすることができる。そして、第２照射部２の放出面２５が第１照射部１の外周に位置するため、放出面２５を照射対象６に接触等させても照射対象６の表面や内部から反射光として可視光Ｗが外方に放出され、利用者に視認し易くなっている。
【００４２】
また、照射部を制御する制御ボックス３は第１照射部１用と第２照射部２用に分れており、夫々、照射部に電力を供給する電源部３１と、光源をパルス点灯させるパルス制御部３２と、光照射時間をカウントするタイマー３３と、を有している。なお、制御ボックス３は第１照射部１用と第２照射部２用に夫々設けたものに限らず、電源部３１やパルス制御部３２やタイマー３３を共用するものや、タイマー３３を一方のみに備えるものであってもよい。
【００４３】
そして、パルス制御部３２は光源をパルス点灯させると共に、夫々が対応する照明部の各放出面１５，２５からの照射光の明るさや色（波長）を変更する制御を行う調光用の制御部を兼ねている。
【００４４】
例えば、第１照射部１用のパルス制御部３２であれば、第１照射部１の照射光の波長を変更する制御として、９５０ｎｍ近傍とそれより水に吸収され易い１４５０ｎｍ近傍の波長を切り換えて、照射対象６等の水分量の大小に対応させる制御等がある。
【００４５】
このものでは、例えば、第１光源１２が９５０ｎｍ近傍の主照射波長の光源部材と１４５０ｎｍ近傍の主照射波長の光源部材を有し、集光レンズ１３及び導光部１４に導入する光を発する光源部材をパルス制御部３２が切り換えるもの等である。なお、例示の光源部材を切り換えるものに限らず、波長選定用のフィルター等で光源部材の発した光の波長帯の一部を制限して放出面１５からの育毛光Ｈの主照射波長を変更するものであってもよい。もちろん、パルス制御部３２で変更する波長も９５０ｎｍ近傍と１４５０ｎｍ近傍に限定するものではない。
【００４６】
そして、第１照射部１の照射光の明るさを変更する制御として、例えば、育毛光Ｈで育毛効果を高められる照射時間とされる１５分以上に達すると第１光源１２を消灯させる制御等がある。なお、育毛光Ｈの明るさを変更するものは、第１光源１２の消灯させるものに限らず、シャッター部材等の絞りを設けて放出面１５からの育毛光Ｈの放出量を低減するあるいは略零にするもの等であってもよい。
【００４７】
また、第２照射部２用のパルス制御部３２であれば、例えば、第２照射部２の照射光の波長を変更する制御として、タイマー３３の計測時間に応じて可視光Ｗの色を変更して、第１照射部１による光照射時間を報知する制御等がある。
【００４８】
このものでは、例えば、第２光源２２が発光色の異なる複数の光源部材を有し、パルス制御部３２が光源部材の中からいずれを発光させるかを切り換えて、放出面２５からの可視光Ｗの色を変更するもの等がある。そして、この色を変更する時間として、一定時間毎や、育毛光Ｈの照射時間が光照射動作の完了時間である１５分以上に達した際や、完了時間の数分前等がある。
【００４９】
このように、可視光Ｗの色を変えることで、光照射の経過時間や光照射が完了するまでの残り時間あるいは育毛光Ｈの照射完了等の光育毛装置の動作状態を利用者に報知することができるものとなっている。そのため、利用者は照射対象６に当たる可視光Ｗを視認するだけで、その色から光育毛装置の動作状態を容易に把握でき、装置の動作状態を利用者が認識し易いものとなっている。
【００５０】
なお、波長選定用のフィルター等で光源部材の発した光の波長帯の一部を制限して可視光Ｗの主照射波長を変更するものであってもよい。ましてや、可視光Ｗの変更制御は、第２光源２２の輝度を変えて可視光Ｈを暗くしたり明るくしたりするものや、点灯から点滅に切り換えるものや、点滅周期を変化させるものや、色の変更と明るさの変更を組み合わせたものであってもよい。
【００５１】
また、光源部材はＬＥＤに限らず、短波長レーザーや、波長選定用のフィルターを照射ユニット内に設けて照射光の波長を特定の波長帯に制限するハロゲンランプや広帯域レーザー等であってもよい。もちろん、第１光源１２と第２光源２２に夫々異なる光源部材を用いてもよい。そして、ハロゲンランプ等の発光色に複数のピーク波長を有する光源部材を第２光源に用いることで、複数の光源部材を設けなくても可視光Ｗの色の変更することができる。
【００５２】
更に、光ファイバー等の導光性能を保ってフレキシブルに形状を変更できるものを導光部に用いてもよく、集光レンズの代わりに拡散レンズ等を用いて一つの光源から複数の導光部に光を供給してもよい。このような光源を共用するものでは、育毛用でない第２照射部２の各照射ユニット２１の第２光源２２を共用にすることで、育毛効果を低下させずに費用を安価にでき好ましい。また、照射ユニット１１，２１のケーシングや集光レンズ１３，２３等の部材を第１照射部１と第２照射部２で共通の形状や寸法にして、生産時や点検時の費用を安価にしてもよい。
【００５３】
なお、照射ケース５の開口端５ａの形状は円形状に限らす、矩形状や楕円形状のものであってもよい。もちろん、放出面１５，２５の配置は例示に限らず、第２照射部の放出面２５を中心に第１照射部の放出面１５を円形状に並べたものや、照射ケース５の開口端５ａに沿わない形状（円形状に対して矩形状とする等）で配置したもの等であってもよい。ましてや、第２照射部２は、照射対象６に装置を接触等させると波長変更等で放出面１５からの照射光を可視光Ｗから育毛光Ｈに変更し、光照射を行う時間（１５分間等）経過すると再度可視光Ｗに戻す等の育毛用の照射部を兼ねるものであってもよい。
【００５４】
また、放出面１５，２５は平面状に配置するものに限らず、円筒を直径方向に切断したような円弧形状に彎曲した板状に配置したものや、半球状に配置したもの等の人体の頭部等の曲面を有する部位を照射対象６としたものであってもよい。
【００５５】
半球状に配置したものでは、例えば、図６に示すように、照射ケース５を半球状に形成すると共に、球の内径側に第１照射部１及び第２照射部２を設けると共に、各放出面１５，２５を球の中心側に向けて配置したもの等がある。
【００５６】
このものでは、放出面１５，２５が照射ケース５と同心で照射ケース５より小径の半球状に並ぶものであり、半球の内側である中心側に人体の頭部等を位置させることで、放出面１５，２５を照射対象６に接触等させるものである。つまり、照射ケース５は頭部等に被せるあるいは頭部等を覆うキャップ状のものとなっており、人体の頭部等の半球状の照射対象６に放出面１５，２５を容易に接触等させることができる。
【００５７】
そのため、平面状の放出面１５，２５を有するものより曲面形状の照射対象６に広範囲で接触等させることができ、曲面形状の照射対象６に対する光照射の回数を低減でき、利用者に光照射をより継続して利用させ易くすることができる。
【００５８】
なお、椅子や椅子型マッサージ機の背もたれの上方に照射ケース５を配置することで、椅子等に着座した利用者に光照射を行え、光照射を行う時間の間（１５分間等）利用者に同じ姿勢を維持させ易いものにでき好ましい。
【符号の説明】
【００５９】
１  第１照射部
１５  放出面
２  第２照射部
２５  放出面
６  照射対象
【図１】
2011200605.tif 000003
【図２】
2011200605.tif 000004
【図３】
2011200605.tif 000005
【図４】
2011200605.tif 000006
【図５】
2011200605.tif 000007
【図６】
2011200605.tif 000008